(57)【特許請求の範囲】
【請求項１】
パンチガイド内に上下動自在に嵌入したパンチボディの下端にポンチを設けると共に前記パンチボディを前記パンチガイドに対して上方向に付勢するポンチ調整用付勢手段を設け、
前記パンチガイドの上端側に前記パンチボディの上方向の付勢を抑えるポンチ調整用部材を上下位置調整自在に設けてなり、
前記ポンチ調整用部材は、円環状に形成されており、下端部側が前記パンチガイドに螺着しており、上端部側が前記パンチガイドの上端部よりも上方に突出していることを特徴とするポンチ金型のポンチ量調整装置。
【請求項２】
パンチガイド内に上下動自在に嵌入したパンチボディの下端にポンチを設け、
パンチヘッドを上端に備えたガイド部材を前記パンチボディに設けられたガイド穴に上下動自在に設けると共に前記ガイド部材と前記パンチボディとを相対的に離反する方向へ付勢するストリップ付勢手段を設け、
前記パンチボディを前記パンチガイドに対して上方向に前記ストリップ付勢手段より大きい付勢力で付勢するポンチ調整用付勢手段を設け、
前記パンチガイドの上端側に前記パンチボディの上方向の付勢を抑えるポンチ調整用部材を上下位置調整自在に設けてなり、
前記ポンチ調整用部材は、円環状に形成されており、下端部側が前記パンチガイドに螺合しており、上端部側が前記パンチガイドの上端部よりも上方に突出していることを特徴とするポンチ金型のポンチ量調整装置。
【請求項３】
請求項１または請求項２に記載のポンチ金型のポンチ量調整装置において、
前記パンチボディの上端部には、外径が前記パンチボディの他の部位よりも大きくなっているスプリング座が備えられており、
前記ポンチ調整用付勢手段は、調整スプリングを備えて構成さていると共に、前記調整スプリングが前記スプリング座の下面に接触することによって、前記パンチボディが上方向に付勢されており、
前記ポンチ調整用部材は、この下端を前記スプリング座に当接させることによって、前記パンチボディの上方付勢を抑えている構成であることを特徴とするポンチ金型のポンチ量調整装置。
【発明の詳細な説明】
【０００１】
【発明の属する技術分野】
本発明は、ポンチ金型のポンチ量調整方法及びその装置に関する。
【０００２】
【従来の技術】
従来、例えばタレットパンチプレス等のパンチプレスに使用されるポンチ金型１０１は、図３に示されているように上型ホルダ１０３（タレットパンチプレスの場合には上部タレットが相当する）の装着孔１０５に上下動自在に嵌合された筒状のパンチガイド１０７と、パンチガイド１０７の径方向のほぼ中央に設けたガイド穴１０９に上下動自在に嵌入したセンタシャフト１１１とから構成されている。パンチガイド１０７は上部に備えられたフランジ部１１３が上型ホルダ１０３の複数箇所に設けたリフタスプリング１１５に支承されている。
【０００３】
また、前記パンチガイド１０７には上部の径方向のほぼ中央にシャフトガイド穴１１７が設けられており、このシャフトガイド穴１１７にはセンタシャフト１１１が上下動自在に設けられている。センタシャフト１１１は下部が大径部１１９に、上部が細径部１２１に形成されており、前記大径部１１９と細径部１２１との間に段付部１２３が備えられている。パンチガイド１０７のシャフトガイド穴１１７の上端にはセンタシャフト１１１の細径部１２１を上下に摺動可能なスリーブ１２５が螺着されている。
【０００４】
センタシャフト１１１の上端部にはヘッドナット１２７が螺着されており、ヘッドナット１２７とスリーブ１２５のスプリング座１２９との間には、リフタスプリング１１５より強力な付勢力を有するストリップスプリング１３１が設けられている。
【０００５】
パンチガイド１０７には下部の径方向のほぼ中央にポンチ装着穴１３３が設けられており、このポンチ装着穴１３３内にポンチ１３５が挿脱可能に挿入され、ポンチ１３５の上部の側面に設けた面取り部１３７がパンチガイド１０７の側面に設けたポンチ固定ねじ１３９で押圧され固定されている。
【０００６】
ポンチ装着穴１３３とシャフトガイド穴１１７との隔壁部１４１には上下に貫通するねじ穴に調整ねじ１４３が螺合されており、この調整ねじ１４３の先端で前記ポンチ１３５の上端面を押圧可能に構成されている。調整ねじ１４３を回すことによりポンチ１３５のパンチガイド１０７の下端面からの突出量Ｓが調整される。
【０００７】
【発明が解決しようとする課題】
ところで、突出量Ｓによりポンチの大きさすなわちポンチ量が決定されるものであり、ポンチの突出量Ｓが大きいと、ポンチ力が十分な場合は前記突出量Ｓに応じて大きなポンチができるので、鋼板であっても薄板では穴が開いてしまうことがあり、アルミ等の軟らかい材質の板材ではその大きさは顕著に現れる。この場合は上記のポンチ１３５の突出量Ｓはポンチが所定の大きさとなる様に小さく調整される必要がある。
【０００８】
従来のポンチ金型１０１のポンチ量を調整するには、ポンチ固定ねじ１３９を緩めると共に、スリーブ１２５を回してパンチガイド１０７から外してセンタシャフト１１１をパンチガイド１０７のシャフトガイド穴１１７から抜脱する。次いで、シャフトガイド穴１１７にドライバー等のねじ回し用の工具を挿入し、ドライバーにて調整ねじ１４３を回転することによりパンチガイド１０７の下端面からのポンチ１３５の突出量Ｓが調整される。
【０００９】
したがって、従来のポンチ金型１０１は上型ホルダ１０３に取り付けた状態では突出量Ｓを調整できないので、特に加工板材の板厚や材質が変わるときにはポンチ量の調整に時間がかかるという問題点があった。
【００１０】
本発明は叙上の課題を解決するためになされたもので、その目的は、ポンチ金型を上型ホルダに装着した状態で加工板材の材質や板厚の変化に応じて所望のポンチ量を容易に調整し得るポンチ金型のポンチ量調整方法及びその装置を提供することにある。
【００１１】
【課題を解決するための手段】
上記目的を達成するために請求項１によるこの発明のポンチ金型のポンチ量調整方法は、パンチガイド内にポンチ調整用付勢手段により上方向に付勢されたパンチボディを、前記パンチガイドの上端側に上下位置調整自在に設けられたポンチ調整用部材で前記パンチボディの上方向の付勢を抑えると共に、前記ポンチ調整用部材の上下位置を調整することにより、パンチボディの下端に設けられたポンチの前記パンチガイドの先端面に対する突出量を調整することを特徴とするものである。
【００１２】
したがって、ポンチ調整用部材の作動によりパンチボディがポンチ調整用付勢手段の付勢力に抗して上下動されるので、パンチボディの下端のポンチが上下動されるためにパンチガイドの先端面に対するポンチの突出量が大小に調整される。ポンチ金型が上型ホルダに取り付けられた状態であってもワークの板厚や材質やポンチ径の所望の大きさに応じてポンチ調整用部材を上下位置調整するだけでポンチ量が簡単に調整される。
【００１３】
【課題を解決するための手段】
請求項１に記載の発明は、パンチガイド内に上下動自在に嵌入したパンチボディの下端にポンチを設けると共に前記パンチボディを前記パンチガイドに対して上方向に付勢するポンチ調整用付勢手段を設け、前記パンチガイドの上端側に前記パンチボディの上方向の付勢を抑えるポンチ調整用部材を上下位置調整自在に設けてなり、前記ポンチ調整用部材は、円環状に形成されており、下端部側が前記パンチガイドに螺着しており、上端部側が前記パンチガイドの上端部よりも上方に突出しているポンチ金型のポンチ量調整装置である。
【００１４】
したがって、請求項１記載の作用と同様であり、ポンチ調整用部材の作動によりパンチボディがポンチ調整用付勢手段の付勢力に抗して上下動されるので、パンチボディの下端のポンチが上下動されるためにパンチガイドの先端面に対するポンチの突出量が大小に調整される。ポンチ金型が上型ホルダに取り付けられた状態であってもワークの板厚や材質やポンチ径の所望の大きさに応じてポンチ調整用部材を上下位置調整するだけでポンチ量が簡単に調整される。
【００１５】
請求項２に記載の発明は、パンチガイド内に上下動自在に嵌入したパンチボディの下端にポンチを設け、パンチヘッドを上端に備えたガイド部材を前記パンチボディに設けられたガイド穴に上下動自在に設けると共に前記ガイド部材と前記パンチボディとを相対的に離反する方向へ付勢するストリップ付勢手段を設け、前記パンチボディを前記パンチガイドに対して上方向に前記ストリップ付勢手段より大きい付勢力で付勢するポンチ調整用付勢手段を設け、前記パンチガイドの上端側に前記パンチボディの上方向の付勢を抑えるポンチ調整用部材を上下位置調整自在に設けてなり、前記ポンチ調整用部材は、円環状に形成されており、下端部側が前記パンチガイドに螺合しており、上端部側が前記パンチガイドの上端部よりも上方に突出しているポンチ金型のポンチ量調整装置である。
【００１６】
したがって、ポンチ調整用部材の作動によりパンチボディがポンチ調整用付勢手段の付勢力に抗して上下動されるので、パンチボディの下端のポンチが上下動されるためにパンチガイドの先端面に対するポンチの突出量が大小に調整される。しかも、ポンチ金型が上型ホルダに取り付けられた状態であってもワークの板厚や材質やポンチ径の所望の大きさに応じてポンチ調整用部材を上下位置調整するだけでポンチ量が簡単に調整される。
【００１７】
さらに、パンチヘッドがストライカにより押圧されて、パンチガイドの先端面がワークに当接してポンチ加工が行われた後に、パンチヘッドがさらに押圧されても、ストリップ付勢手段がポンチ調整用付勢手段の付勢力より小さいので、ストリップ付勢手段の付勢力に抗してヘッドナット並びにガイドシャフトは下降するが、パンチボディは下降しない。この理由により、予め設定されたポンチの突出量だけワークに押圧されるので、所望のポンチ加工が安定して行われる。
【００１８】
請求項３に記載の発明は、請求項２または請求項３に記載のポンチ金型のポンチ量調整装置において、前記パンチボディの上端部には、外径が前記パンチボディの他の部位よりも大きくなっているスプリング座が備えられており、前記ポンチ調整用付勢手段は、調整スプリングを備えて構成さていると共に、前記調整スプリングが前記スプリング座の下面に接触することによって、前記パンチボディが上方向に付勢されており、前記ポンチ調整用部材は、この下端を前記スプリング座に当接させることによって、前記パンチボディの上方付勢を抑えている構成であるポンチ金型のポンチ量調整装置である。
【００１９】
したがって、ポンチ調整用部材を回すだけでパンチボディの上下方向の位置が簡単に調整されるので、パンチボディの下端に取付けられたポンチが容易に上下に移動されポンチ量が調整される。
【００２０】
【発明の実施の形態】
以下、本発明のポンチ金型のポンチ量調整方法及びその装置の実施の形態について図面を参照して説明する。
【００２１】
図１を参照するに、本実施の形態に係わるポンチ金型１は、例えばタレットパンチプレス（図示省略）における上部タレット等に装着された上型ホルダ３に上下動自在に支承されている。前記ポンチ金型１は、主として上型ホルダ３の装着孔５に上下動自在に嵌合された筒状のパンチガイド７と、パンチガイド７の径方向のほぼ中央に設けたパンチガイド穴９に上下動自在に嵌入したパンチボディ１１とから構成されている。
【００２２】
より詳しくは、前記パンチガイド７の上部にはフランジ部１３が備えられており、このフランジ部１３が上型ホルダ３の複数箇所、本実施の形態では図２に示されているように３箇所に設けたリフタスプリング１５に支承されている。リフタスプリング１５は図１に示されているように上型ホルダ３の上部に固定されたガイドシャフト１７に沿って上下に摺動自在な支持体１９を押上げ、この支持体１９を介してフランジ部１３、すなわちパンチガイド７が上方に付勢されるように構成されている。
【００２３】
また、前記パンチガイド７の下部の外周には上下方向に長いキー溝２１が設けられており、パンチガイド７の上下方向の動作を規制すべくキー溝２１に嵌合するキー２３が上型ホルダ３の下部に設けられている。
【００２４】
さらに、前記パンチボディ１１にはガイド穴としての例えばパンチボディ１１の径方向のほぼ中央に上下に貫通するシャフトガイド穴２５と、このシャフトガイド穴２５の下側により大きな径の段付穴２７が設けられている。
【００２５】
パンチボディ１１の下端部には、ポンチ支持体２９が段付穴２７内に着脱可能に装着されビス３１で固定されている。ポンチ支持体２９の下面にはポンチ取付穴３３が設けられている。また、下型ホルダ３５に支承された下金型３７（ダイ）と協働して板状のワークＷにポンチ加工を行なうポンチ３９がポンチ支持体２９のポンチ取付穴３３に装着されポンチ固定ねじ４１で固定されている。
【００２６】
また、パンチガイド７の上部のシャフトガイド穴２５にはガイド部材としての例えばセンタシャフト４３が上下動自在に設けられており、センタシャフト４３の下端部には段付穴２７の段付面４５に当接して上方向のストッパとなるフランジ部４７が設けられている。前記センタシャフト４３の上端部にはパンチヘッドとしての例えばヘッドナット４９が螺着され緩衝材Ｃを介して固定ねじ５１により固定されている。
【００２７】
前記パンチボディ１１の上端部にはスプリング座５３が備えられており、このスプリング座５３の上端面と前記ヘッドナット４９のスプリング座５５との間には、ヘッドナット４９並びにセンタシャフト４３と、前記パンチボディ１１とを相対的に離反する方向へ付勢するストリップ付勢手段の一例としての例えばストリップスプリング５７が設けられている。なお、本実施の形態ではストリップスプリング５７は前述したリフタスプリング１５に対して約３倍の付勢力の大きさで構成されているが、リフタスプリング１５より大きい付勢力であればよいので、この限りではない。
【００２８】
また、パンチガイド７の上部には前述したパンチガイド穴９より大きな径のポンチ量調整用ねじ穴５９が設けられており、ポンチ量調整用ねじ穴５９の底部の段付面６１とパンチボディ１１の上端部のスプリング座５３との間には、ストリップスプリング５７によるパンチボディ１１の下方付勢力に抗してより大きな付勢力で前記パンチボディ１１を常時上方へ付勢せしめるポンチ調整用付勢手段の一例としての例えば調整スプリング６３が備えられている。
【００２９】
前記ポンチ量調整用ねじ穴５９には調整スプリング６３によるパンチボディ１１の上方付勢を抑えるべくパンチボディ１１のスプリング座５３の上面に当接するポンチ調整用部材の一例としての調整ノブ６５が上下位置調整自在に螺着されている。
【００３０】
ポンチ３９の突出量Ｓが大きいと、ポンチ力が十分な場合は前記突出量Ｓに応じて大きなポンチができるので、鋼板であっても薄板では穴が開いてしまうことがあり、アルミ等の軟らかい材質の板材ではその大きさは顕著に現れる。この場合は上記のポンチ３９の突出量Ｓはポンチが所定の大きさとなる様に小さく調整される必要がある。
【００３１】
上記構成により、調整ノブ６５を締め付ける方向に回すと、パンチボディ１１のスプリング座５３が調整スプリング６３の付勢力に抗して下方へ押し下げられるので、パンチボディ１１の下端のポンチ３９が下方へ移動されるためにパンチガイド７の先端面に対するポンチ３９の突出量Ｓは大きくなる。一方、調整ノブ６５を緩める方向に回すと、パンチボディ１１のスプリング座５３が調整スプリング６３の付勢力により上方へ押し上げられるので、パンチボディ１１の下端のポンチ３９が上方へ移動されるためにパンチガイド７の下端面に対するポンチ３９の突出量Ｓは小さくなる。
【００３２】
したがって、ポンチ３９の突出量Ｓはポンチ金型１が上型ホルダ３に取り付けられた状態であってもワークの材質やポンチ３９の径の所望の大きさに応じて調整ノブ６５を回すだけで簡単に調整できる。
【００３３】
ワークのポンチ加工を行うべく、図１に示されている上下動自在なストライカ６７によりポンチ金型１のヘッドナット４９が打圧されると、リフタスプリング１５の付勢力がストリップスプリング５７及び調整スプリング６３より小さいので、パンチガイド７及びパンチボディ１１は一体的にリフタスプリング１５の付勢力に抗して下降し、パンチガイド７の下端面が下金型３７に載置されているワークＷの表面に当接し、ポンチ３９が突出量ＳだけワークＷに押圧されてポンチ加工が行われる。
【００３４】
ヘッドナット４９が上記のストライカ６７によりさらに押圧されるとしても、ストリップスプリング５７が調整スプリング６３の付勢力より小さいので、ストリップスプリング５７の付勢力に抗してヘッドナット４９並びにセンタシャフト４３が下降するが、パンチボディ１１は下降しない。したがって、ポンチ３９は予め設定された突出量ＳだけワークＷに押圧されて所望のポンチ量のポンチ加工が安定して行われる。
【００３５】
なお、この発明は前述した発明の実施の形態に限定されることなく、適宜な変更を行うことによりその他の態様で実施し得るものである。
【００３６】
【発明の効果】
以上のごとき発明の実施の形態から理解されるように、請求項１の発明によれば、ポンチ調整用部材でパンチボディをポンチ調整用付勢手段の付勢力に抗して上下動することにより、パンチボディの下端のポンチを上下動できるので、パンチガイドの先端面に対するポンチの突出量の大小を容易に調整できる。しかも、ポンチ金型が上型ホルダに取り付けられた状態であってもワークの板厚や材質やポンチ径の所望の大きさに応じてポンチ調整用部材を上下位置調整するだけでポンチ量が簡単に調整できる。
【００３７】
請求項２の発明によれば、請求項１記載の効果と同様であり、ポンチ調整用部材でパンチボディをポンチ調整用付勢手段の付勢力に抗して上下動することにより、パンチボディの下端のポンチを上下動できるので、パンチガイドの先端面に対するポンチの突出量の大小を容易に調整できる。しかも、ポンチ金型が上型ホルダに取り付けられた状態であってもワークの板厚や材質やポンチ径の所望の大きさに応じてポンチ調整用部材を上下位置調整するだけでポンチ量が簡単に調整できる。
【００３８】
請求項３の発明によれば、ポンチ調整用部材でパンチボディをポンチ調整用付勢手段の付勢力に抗して上下動することにより、パンチボディの下端のポンチを上下動できるので、パンチガイドの先端面に対するポンチの突出量の大小を容易に調整できる。しかも、ポンチ金型が上型ホルダに取り付けられた状態であってもワークの板厚や材質やポンチ径の所望の大きさに応じてポンチ調整用部材を上下位置調整するだけでポンチ量が簡単に調整できる。
【００３９】
さらに、パンチヘッドがストライカにより押圧されて、パンチガイドの先端面がワークに当接してポンチ加工が行われた後に、パンチヘッドがさらに押圧されても、ストリップ付勢手段がポンチ調整用付勢手段の付勢力より小さいので、ストリップ付勢手段の付勢力に抗してヘッドナット並びにガイドシャフトは下降するが、パンチボディは下降しないので、予め設定したポンチの突出量だけの所望のポンチ加工を安定して行うことができる。
【００４０】
請求項４によれば、ポンチ調整用部材を回すだけでパンチボディの上下方向の位置を簡単に調整できるので、パンチボディの下端のポンチを簡単に上下動でき容易にポンチ量を調整できる。
【図面の簡単な説明】
【図１】本発明の実施の形態を示すもので、ポンチ金型の要部断面を含む正面図である。
【図２】図１の平面図である。
【図３】従来例のポンチ金型の要部断面を含む正面図である。
【符号の説明】
１  ポンチ金型
３  上型ホルダ
７  パンチガイド
１１  パンチボディ
１５  リフタスプリング
２５  シャフトガイド穴（ガイド穴）
２７  段付穴
３３  ポンチ取付穴
３７  下金型
３９  ポンチ
４３  センタシャフト（ガイド部材）
４９  ヘッドナット（パンチヘッド）
５７  ストリップスプリング（ストリップ付勢手段）
５９  ポンチ量調整用ねじ穴
６３  調整スプリング（ポンチ調整用付勢手段）
６５  調整ノブ（ポンチ調整用部材）
６７  ストライカ
【図１】
0003996268.tif 000002
【図２】
0003996268.tif 000003
【図３】
0003996268.tif 000004